(57)【特許請求の範囲】
【請求項１】
長尺体を扱いながら作業を行う長尺作業機の、長尺体を肘で支持するための肘当て部において、
肘を受ける肘当て体が、脱着機構を介して、長尺体に脱着可能に取付けられており、
脱着機構は、肘当て体及び長尺体のいずれか一方に設けられた挿入部と、他方に設けられた被挿入部とからなり、挿入部を被挿入部に挿入することにより、肘当て体を長尺体に取付け、挿入部を被挿入部から抜くことにより、肘当て体を長尺体から外すようになっており、
被挿入部は、挿入部が挿入された状態で、挿入部との間に幅方向の遊びを有していることを特徴とする長尺作業機の肘当て部。
【請求項２】
肘当て体が、肘を肘当て体に縛り付けるためのバンドを有している、請求項１記載の長尺作業機の肘当て部。
【請求項３】
肘当て体が、通水性の材料で構成されている、請求項１記載の長尺作業機の肘当て部。
【請求項４】
挿入部が、被挿入部に挿入される際に弾性力に抗して変形する、弾性機能を有している、請求項１記載の長尺作業機の肘当て部。
【請求項５】
長尺体が、先端部に回転刃を有し、後端部に回転刃を回転させる駆動部を有する、草刈機である、請求項１記載の長尺作業機の肘当て部。
【発明の詳細な説明】
【０００１】
【発明の属する技術分野】
本発明は、例えば、草刈機、高枝刈機、果樹落し機などのような、長尺体を扱いながら作業を行う、長尺作業機において、長尺体を肘で支持するための肘当て部に関するものである。なお、本発明において、肘とは、腕の真中で内側に曲がる部分のみを厳密に指すのではなく、当該部分とその付近の前腕部も含む概念である。
【０００２】
【従来の技術】
長尺作業機の肘当て部としては、肘を受ける肘当て体を長尺体に固定したものが、知られていた。また、作業中に作業者が長尺体を手放さなければならない危険が生じた場合に、肘を肘当て体から即座に外して危険を回避するために、肘当て体には、肘を肘当て体に縛り付けるバンドは設けられていなかった。
【０００３】
【特許文献１】
特開平７−２８９１２１号公報
【特許文献２】
特開２０００−１３９２８１号公報
【０００４】
【発明が解決しようとする課題】
しかしながら、従来の長尺作業機の肘当て部では、次のような問題があった。
（１）肘当て体が長尺体に固定されているため、次のような問題があった。
（ａ）肘当て体に当てた肘が固定された状態となり、その肘の自由度が制限されるため、長尺体の扱いに不自由を生じる場合があった。
（ｂ）右肘を当てる場合には、肘当て体を右肘用に固定する必要があり、左肘を当てる場合には、肘当て体を左肘用に固定する必要があり、面倒であった。或いは、右肘用と左肘用の２種類の肘当て体を用意する必要があり、生産コストが高くなっていた。
【０００５】
（２）肘当て体にはバンドが設けられていないので、肘当て体に当てた肘が必ずしも安定せず、長尺体の扱いが不安定となり、作業者の誤操作を生じる恐れがあった。
【０００６】
本発明は、上記のような問題点を解消するためになされたものであり、長尺体を比較的自由に且つ安定して扱うことができ、また、危険回避を容易に行うことができ、更に、生産コストを低減できる、長尺作業機の肘当て部を提供することを目的とする。
【０００７】
【課題を解決するための手段】
請求項１記載の発明は、長尺体を扱いながら作業を行う長尺作業機の、長尺体を肘で支持するための肘当て部において、肘を受ける肘当て体が、脱着機構を介して、長尺体に脱着可能に取付けられており、脱着機構は、肘当て体及び長尺体のいずれか一方に設けられた挿入部と、他方に設けられた被挿入部とからなり、挿入部を被挿入部に挿入することにより、肘当て体を長尺体に取付け、挿入部を被挿入部から抜くことにより、肘当て体を長尺体から外すようになっており、被挿入部は、挿入部が挿入された状態で、挿入部との間に幅方向の遊びを有していることを特徴としている。
【０００８】
請求項２記載の発明は、請求項１記載の発明において、肘当て体が、肘を肘当て体に縛り付けるためのバンドを有しているものである。
【０００９】
請求項３記載の発明は、請求項１記載の発明において、肘当て体が、通水性の材料で構成されているものである。
【００１０】
請求項４記載の発明は、請求項１記載の発明において、挿入部が、被挿入部に挿入される際に弾性力に抗して変形する、弾性機能を有しているものである。
【００１１】
請求項５記載の発明は、請求項１記載の発明において、長尺体が、先端部に回転刃を有し、後端部に回転刃を回転させる駆動部を有する、草刈機であるものである。
【００１２】
【発明の実施の形態】
図１は、本発明の肘当て部を採用した草刈機を使用する様子を示す正面図である。草刈機１は、長尺体１１の先端に回転刃１２を有し、後端に、回転刃１２を回転させる駆動部（図示せず）を有している。駆動部は、肩掛けバンド１３により、作業者の背中に背負われている。長尺体１１には、中央部に第１グリップ１４が固定されており、第１グリップ１４より後部に第２グリップ１５が固定されており、そして、第２グリップ１５より後部に肘当て部２が設けられている。第１グリップ１４、第２グリップ１５、及び、肘当て部２は、長尺体１１に沿って移動可能に設けられている。図１では、作業者は、右肘を肘当て部２にて支持した状態で、右手で第２グリップ１５を握り、左手で第１グリップ１４を握っている。なお、長尺体１１内には、駆動部の回転駆動力を回転刃１２に回転伝達するフレキシブルシャフトが通っている。
【００１３】
図２は図１のＩＩ矢視部分拡大図であり、肘当て部２の側面図である。肘当て部２は、肘を受ける肘当て体３と、肘当て体３を長尺体１１に脱着可能に取付ける脱着機構４とで、構成されている。図３は肘当て体３を長尺体１１から外した状態を示す側面図である。図４は図３の一部縦断面図である。図５は図２のＶ−Ｖ断面図である。
【００１４】
肘当て体３は、図５に示すように筒を半割したような形態を有しており、図２に示すように腕の肘（肘付近の前腕部も含む）を背面側から受け得るようになっている。図６は肘当て体３の平面図である。また、肘当て体３は、肘を肘当て体３に締め付けるためのバンド７を有している。バンド７は、図５に示すように、肘当て体３の幅方向両縁部に形成した貫通孔３１に通されている。バンド７は、、肘を肘当て体３に締め付けた状態で、公知の接着部材又は締付部材により、留めることができるようになっている。更に、肘当て体３は、通水性の材料で構成されている。通水性の材料としては、例えば、多孔性又は網状又は格子状などの、プラスチック又は厚布などを用いることができる。
【００１５】
脱着機構４は、長尺体１１に脱着可能に固定された支持具５と、肘当て体３の裏面に固定された突片６とで、構成されている。
【００１６】
図７〜図９は支持具５を示している。図７は支持具５の図３におけるＶＩＩ矢視図、図８は支持具５の底面図、図９は支持具５の平面図である。支持具５は、２つの半割体５１，５２からなっている。支持具５は、半割体５１，５２を、凹部５１１，５２１にて長尺体１１を挟むように合わせて、フランジ５１２，５２２にてボルト５３で締め付けることにより、長尺体１１に固定されている。５４はナットである。従って、支持具５は、ボルト５３を緩めることにより、長尺体１１に沿って任意の位置に移動させることができる。なお、第１グリップ１４及び第２グリップ１５も、同様の機構により、長尺体１１に沿って任意の位置に移動させることができる。
【００１７】
半割体５１は、貫通孔５１３を有している。貫通孔５１３は、長尺体１１の長手方向に沿って形成されている。貫通孔５１３が被挿入部を構成している。
【００１８】
突片６は、肘当て体３と一体成形され、又は、肘当て体３に接合されている。突片６は、図３に示すように、肘当て体３の裏面から少し離れて且つ裏面に略平行に延びた本体６１と、裏面に近づいた後に離れる方向に湾曲している先端部６２とを、有している。そして、突片６は、本体６１及び先端部６２が、肘当て体３の裏面から離れる方向に、弾性力に抗して変形できる、弾性機能を有している。貫通孔５１３は、突片６を挿入できる大きさを有しており、更には、図５に示すように突片６との間で幅方向に遊び６３を有する大きさを有している。突片６が挿入部を構成している。
【００１９】
上記構成の肘当て部２では、次のようにして肘を支持する。
即ち、まず、肘に肘当て体３を当て、その状態でバンド７により肘を肘当て体３に締め付ける。そして、肘当て体３を支持具５に対して後方から前方へ移動させながら、突片６（挿入部）を支持具５の貫通孔５１３（被挿入部）に挿入させる。このとき、突片６は、肘当て体３の裏面から離れる方向に弾性変形しながら、貫通孔５１３に挿入されていき、挿入後、即ち、先端部６２が貫通孔５１３を通過した後は、弾性力により元の状態に戻ろうとする。これにより、肘当て体３が支持具５を介して長尺体１１に取付けられ、肘が肘当て部２にて支持される。なお、肘当て体３を長尺体１１に取付けた後に、肘を肘当て体３に当ててバンド７で締め付けてもよい。
【００２０】
また、上記構成の肘当て部２では、支持した肘を次のようにして長尺体１１から外す。即ち、肘当て体３を支持具５に対して後方へ移動させることにより、支持具５から突片６を引き離す。このとき、突片６は、肘当て体３の裏面から離れる方向に弾性変形しながら、貫通孔５１３から引き抜かれ、引き抜かれた後は、弾性力により元の状態に戻る。これにより、肘が肘当て体３と共に長尺体１１から外れる。
【００２１】
上記構成の肘当て部２は、次のような効果を発揮できる。
（１）作業者は、肘当て部２にて肘を支持した状態で、長尺体１１を比較的自由に扱うことができる。
即ち、支持具５の貫通孔５１３が、挿入された突片６との間で幅方向に遊び６３を有しているので、図１０の（Ａ），（Ｂ）に示すように、肘当て体３は、貫通孔５１３を支点として長尺体１１に対して左右に（矢印方向に）ある角度だけ回動できる。それ故、肘当て体３に固定した肘は、肘当て体３が回動できる角度分だけ、肘当て体３と共に自由に動かすことができる。従って、作業者は、肘当て部２にて肘を支持した状態で、長尺体１１を比較的自由に扱うことができる。
【００２２】
（２）左右いずれの肘にも対応できる。
即ち、上述したように、肘当て体３が長尺体１１に対して左右にある角度だけ回動可能であるので、肘当て体３に、左右いずれの肘を当てた場合でも、肘当て体３が少し回動することにより、肘が肘当て体３に支障なく受けられる。従って、左右いずれの肘にも対応できる。
【００２３】
（３）生産コストを低減できる。
即ち、上述したように、左右いずれの肘にも対応できるので、右利き用と左利き用の２種類の肘当て部を用意する必要がない。従って、生産コストを低減できる。
【００２４】
（４）作業者は、肘当て部２にて肘を支持した状態で、長尺体１１を安定して扱うことができる。
即ち、バンド７により、肘を肘当て体３に固定できるので、肘当て部２において肘を安定して支持できる。従って、作業者は、肘が安定しているので、長尺体１１を安定して扱うことができる。また、長尺体１１を安定して扱うことができるので、作業者の誤操作による危険の発生を防止できる。
【００２５】
（５）作業者は、容易に危険を回避できる。
即ち、作業中に、作業者が長尺体１１を手放さなければならない危険が生じた場合には、肘当て体３を支持具５に対して後方へ移動させて、貫通孔５１３から突片６を引き抜くことにより、肘を肘当て体３と共に長尺体１１から即座に外すことができる。従って、作業者は、長尺体１１を容易に手放すことができるので、容易に危険を回避できる。
【００２６】
（６）長尺体１１に対する肘当て体３の取付状態を安定して維持できる。
即ち、突片６が弾性機能を有しているので、貫通孔５１３に挿入した後の突片６は、肘当て体３との間で、貫通孔５１３の上縁部５１４を保持した状態となる。それ故、肘当て体３を支持具５に取付けた状態が、安定して維持されることとなる。従って、肘当て部２において肘を安定して支持でき、長尺体１１を安定して扱うことができる。
【００２７】
（７）汗や雨水に起因した不快感やスリップの危険を解消できる。
即ち、従来の肘当て部では、長時間や雨天での作業において、肘当て体３と肘との間に汗や雨水が溜まっていた。このような汗や雨水は、作業者に不快感を与えるだけでなく、肘を肘当て体３に対してスリップさせやすくするという危険を有していた。しかしながら、上記構成の肘当て部２においては、肘当て体３が通水性の材料で構成されているので、汗や雨水は、肘当て体３を通り抜けて裏面側へ流れて行き、肘当て体３と肘との間には溜まらない。従って、作業者の不快感やスリップの危険を解消できる。
【００２８】
（８）長尺作業機を簡便に保管したり運搬したりできる。
即ち、突片６が弾性機能を有しているので、突片６を貫通孔５１３に挿入させると、突片６を貫通孔５１３から引き抜く力を加えない限り、突片６は貫通孔５１３から抜けない。それ故、突片６を貫通孔５１３に挿入すれば、肘当て体３を支持具５に取付けた状態を安定して維持できる。従って、肘当て体３を長尺体１１に取付けたまま保管したり運搬したりできるので、長尺作業機を簡便に保管したり運搬したりできる。
【００２９】
なお、本発明では、次のような変形構造を採用してもよい。
【００３０】
（１）肘当て体３を支持具５に対して前方から後方へ移動させながら、挿入部を被挿入部に挿入させるよう構成してもよい。即ち、肘当て体３の脱着の操作方向を上記構成の肘当て部２とは逆になるよう構成してもよい。
【００３１】
（２）図１１に示すように、突片６が弾性機能を持たないものであってもよい。
【００３２】
（３）図１１に示すように、貫通孔５１３が貫通していないものであってもよい。
【００３３】
（４）図１２又は図１３に示すように、挿入部を構成する突片６を支持具５に設け、被挿入部を構成する貫通孔５１３を肘当て体３の裏面に固定したブロック８に設けてもよい。即ち、挿入部を長尺体１１に、被挿入部を肘当て体３に、設けてもよい。
【００３４】
また、本発明の肘当て部２を採用する長尺作業機は、上述した草刈機に限るものではなく、図１４に示すような長尺体１１を扱うものであってもよい。例えば、高枝刈機、果樹落し機などを挙げることができる。
【００３５】
【発明の効果】
請求項１記載の発明によれば、肘当て体が長尺体に対して脱着可能であり、挿入部を被挿入部から抜くだけで肘当て体を肘と共に長尺体から外すことができるので、作業中に作業者が長尺体を手放さなければならない危険が生じた場合でも、即座に長尺体を手放すことができ、作業者は容易に危険を回避できる。
【００３６】
また、被挿入部が、挿入部が挿入された状態で、挿入部との間に幅方向の遊びを有しているので、肘当て体を長尺体に対して少しだけ回動させることができる。従って、次のような効果を発揮できる。
【００３７】
（１）作業者は、肘を肘当て体と共に比較的自由に動かすことができる。従って、作業者は、肘当て部にて肘を支持した状態で長尺体を比較的自由に扱うことができる。
【００３８】
（２）肘当て体に左右いずれの肘を当てた場合でも、肘当て体が少し回動することにより、肘当て体が肘を支障なく受けることができる。従って、左右いずれの肘にも対応できる。
【００３９】
（３）左右いずれの肘にも対応できるので、右利き用と左利き用の２種類の肘当て部を用意する必要がない。従って、生産コストを低減できる。
【００４０】
請求項２記載の発明によれば、バンドにより、肘を肘当て体に固定できるので、肘当て部において肘を安定して支持できる。従って、作業者は長尺体を安定して扱うことができ、作業者の誤操作による危険の発生を防止できる。
【００４１】
請求項３記載の発明によれば、汗や雨水が肘当て体と肘との間に溜まるのを防止できる。従って、溜まった汗や雨水によって作業者が不快感を覚えるのを防止でき、また、溜まった汗や雨水によって肘がスリップするという危険を解消できる。
【００４２】
請求項４記載の発明によれば、挿入部を被挿入部に挿入すると、挿入部が、肘当て体との間で、被挿入部を保持した状態となるので、肘当て体を長尺体に取付けた状態を、安定して維持できる。従って、次のような効果を発揮できる。
【００４３】
（１）作業者は、肘当て部において肘を安定して支持でき、長尺体を安定して扱うことができる。
【００４４】
（２）肘当て体を長尺体に取付けたまま保管したり運搬したりできる。従って、長尺作業機を簡便に保管したり運搬したりできる。
【００４５】
請求項５記載の発明によれば、草刈機において、請求項１記載の発明による効果を発揮できる。
【図面の簡単な説明】
【図１】本発明の肘当て部を採用した草刈機を使用する様子を示す正面図である。
【図２】図１のＩＩ矢視部分拡大図である。
【図３】肘当て体を長尺体から外した状態を示す側面図である。
【図４】図３の一部縦断面図である。
【図５】図２のＶ−Ｖ断面図である。
【図６】肘当て体の平面図である。
【図７】支持具の図３におけるＶＩＩ矢視図である。
【図８】支持具の底面図である。
【図９】支持具の平面図である。
【図１０】肘当て体の長尺体に対する回動作動を示す平面図である。
【図１１】本発明の肘当て部の変形構造の一例を示す一部縦断面側面図である。
【図１２】本発明の肘当て部の変形構造の別の例を示す一部縦断面側面図である。
【図１３】本発明の肘当て部の変形構造の更に別の例を示す一部縦断面側面図である。
【図１４】本発明の肘当て部を採用した別の長尺作業機を示す側面図である。
【符号の説明】
１  草刈機
１１  長尺体
１２  回転刃
２  肘当て部
３  肘当て体
４  脱着機構
５１３  貫通孔（被挿入部）
６  突片（挿入部）
６３  遊び
７  バンド
【図１】
0003623786.tif 000002
【図２】
0003623786.tif 000003
【図３】
0003623786.tif 000004
【図４】
0003623786.tif 000005
【図５】
0003623786.tif 000006
【図６】
0003623786.tif 000007
【図７】
0003623786.tif 000008
【図８】
0003623786.tif 000009
【図９】
0003623786.tif 000010
【図１０】
0003623786.tif 000011
【図１１】
0003623786.tif 000012
【図１２】
0003623786.tif 000013
【図１３】
0003623786.tif 000014
【図１４】
0003623786.tif 000015